(57)【要約】【課題】  磁気カードにおける擦り傷を防止する磁気カード読取装置を提供する。【解決手段】  磁気カード読取装置は、装置本体２と、装置本体２の正面上部に直線的に形成されたカード通路２１と、カード通路２１を開閉するシャッタ３と、シャッタ３を閉じ方向に付勢する引張コイルバネ３ｂと、磁気カードＣがカード通路２１に差し込まれたとき、磁気カードＣの先端部Ｃ１で押圧されることで、引張コイルバネ３ｂの付勢力に抗してシャッタ３を開き方向に回転させ、磁気カードＣとシャッタ３との接触を防止するシャッタ開き機構５４とを備える。【選択図】  図６
2016095623.tif 000002
【特許請求の範囲】
【請求項１】
磁気カード読取装置であって、
装置本体と、
前記装置本体の正面上部に直線的に形成されたスリット状のカード通路と、
前記装置本体に回転可能に設けられ、前記カード通路を開閉するシャッタと、
前記シャッタを閉じ方向に付勢する付勢手段と、
前記磁気カードが前記カード通路に差し込まれたとき、前記磁気カードの先端部で押圧されることで、前記付勢手段の付勢力に抗して前記シャッタを開き方向に回転させ、前記磁気カードと前記シャッタを離間するシャッタ開き機構と、を備えることを特徴とする磁気カード読取装置。
【請求項２】
さらに、前記磁気カードが前記カード通路に沿ってスライド操作され、前記シャッタ開き機構が前記磁気カードの先端部による押圧から解放されたとき、前記付勢手段の付勢力によって閉じる前記シャッタの回転速度を抑制する閉じ速度抑制機構を備えることを特徴とする請求項１に記載の磁気カード読取装置。
【請求項３】
前記シャッタ開き機構が、前記磁気カードの先端部で押圧されることで回転するレバー部と、前記レバー部に連動して前記シャッタを押し広げるように回転するカム部とを一体に備える回転体を有することを特徴とする請求項１又は２に記載の磁気カード読取装置。
【請求項４】
前記閉じ速度抑制機構が、閉じ方向に回転する前記シャッタに対し、開き方向における回転トルクよりも大きな回転トルクを付与するワンウェイダンパーを備えることを特徴とする請求項２又は３に記載の磁気カード読取装置。
【発明の詳細な説明】
【技術分野】
【０００１】
本発明は、自動販売機等の機器外部に配設された磁気カード読取装置に関し、特にスワイプ方式の磁気カード読取装置に関する。
【背景技術】
【０００２】
近年、金融機関や自動販売機等において、キャッシュレスや個人認証等を実現するためのカードとして、磁気カードが用いられている。磁気カードは、プラスチック基板表面に磁気ストライプが形成されたカードであり、磁気カードに対する情報の読み取りは、磁気ヘッドを備えた磁気カード読取装置によって行われる。
【０００３】
磁気カード読取装置におけるカードの読取方式にはいくつか種類があり、その一つには、銀行のＡＴＭ（Ａｕｔｏｍａｔｉｃ  Ｔｅｌｌｅｒ  Ｍａｃｈｉｎｅ）に用いられるもので、磁気カードを装置内部に引き込み、装置内部に設けられた磁気ヘッドによって情報を読み取る方式が知られている。この方式は、モータを用いて磁気カードを自動的に搬送してくれるという利点がある一方、磁気カードの搬送中に装置内部に磁気カードが詰まったり、磁気カードを取り忘れたりするおそれがある。
【０００４】
搬送モータを用いない手動式の磁気カード読取方法には、磁気カードを装置に半分程押し込んだ状態で情報の読み取りを行うディップ方式や、磁気カードを装置に設けられたスリット部にスライドさせて読み取りを行うスワイプ方式等がある。この内、特に、スワイプ方式の磁気カード読取装置は、装置に情報を読み取らせる際に、常に利用者が磁気カードから手を離さないので、カード詰まりや取り忘れの危険性はない。また、悪戯や間違いによって侵入した異物は、スリット部からの排除が可能である。
【０００５】
ここで、これら従来の磁気カード読取装置は、一般に屋内設置を想定して開発されたものである。そのため、屋外に磁気カード読取装置を設置する場合は、該装置を配設する機器の筐体側に、カード挿入口上方に屋根を設けたり、カード挿入口の手前にカバーやシャッタを設けたりするようにして、防塵や防水等の耐候対策を施している（例えば、特許文献１参照）。
【０００６】
図１２は、特許文献１の磁気カード読取装置を説明する図であり、図１２（ａ）に示すように、磁気カード読取装置１００は、装置本体１０１と、装置本体１０１の正面に設けられたカード差込口１０２と、装置本体１０１に回転可能に設けられ、カード差込口１０２を開閉するシャッタ１０３と、を備える。このシャッタ１０３は、その閉じ方向（Ｘ方向）にバネで常時付勢されており、待機時においては、シャッタ１０３の正面側端部１０３ａがカード通路１０５の前方へと突出してカード通路１０５の前面を覆う。磁気カードＣの差し込みに際しては、磁気カードＣをガイド面１０６又はシャッタ１０３の正面側端部１０３ａに押し当てることにより、磁気カードＣをカード差込口１０２に誘導する。
【０００７】
図１２（ｂ）に示すように、さらに磁気カードＣを押し込むことにより、バネの付勢力に抗してシャッタ１０３を開き方向（Ｙ方向）に回転させ、磁気カードＣをカード通路１０５に差し込み、カード通路１０５において磁気カードＣをスライド操作して磁気カードＣの磁気情報を図示しない磁気ヘッドで読み取る。
【０００８】
ところで、この種のスワイプ方式の磁気カード読取装置においては、防塵や防水等の耐候対策に加え、磁気カードを傷つけない為に、磁気カードＣにおける擦れなどを防止する技術が要望されている。しかしながら、特許文献１の磁気カード読取装置１００では、カード通路１０５内に磁気カードＣをスワイプ（スライド操作）した際、シャッタ１０３の正面側端部１０３ａがバネの付勢力によって磁気カードＣに常時接触している。このため、磁気カードＣ表面のシャッタ１０３と接触する部分Ｚに擦り傷が生じるおそれがある。
【先行技術文献】
【特許文献】
【０００９】
【特許文献１】特開２０１３−７３４６０号公報
【発明の概要】
【発明が解決しようとする課題】
【００１０】
本発明は、このような事情に鑑みてなされたものであり、その目的は、磁気カードにおける擦り傷を防止する磁気カード読取装置を提供することにある。
【課題を解決するための手段】
【００１１】
（１）本発明は、磁気カード読取装置であって、装置本体と、前記装置本体の正面上部に直線的に形成されたスリット状のカード通路と、前記装置本体に回転可能に設けられ、前記カード通路を開閉するシャッタと、前記シャッタを閉じ方向に付勢する付勢手段と、前記磁気カードが前記カード通路に差し込まれたとき、前記磁気カードの先端部で押圧されることで、前記付勢手段の付勢力に抗して前記シャッタを開き方向に回転させ、前記磁気カードと前記シャッタを離間するシャッタ開き機構と、を備えることを特徴とする。
【００１２】
（２）本発明は、上記（１）の構成において、さらに、前記磁気カードが前記カード通路に沿ってスライド操作され、前記シャッタ開き機構が前記磁気カードの先端部による押圧から解放されたとき、前記付勢手段の付勢力によって閉じる前記シャッタの回転速度を抑制する閉じ速度抑制機構を備えることを特徴とする。
【００１３】
（３）本発明は、上記（１）又は（２）の構成において、前記シャッタ開き機構が、前記磁気カードの先端部で押圧されることで回転するレバー部と、前記レバー部に連動して前記シャッタを押し広げるように回転するカム部とを一体に備える回転体を有することを特徴とする。
【００１４】
（４）本発明は、上記（２）又は（３）の構成において、前記閉じ速度抑制機構が、閉じ方向に回転する前記シャッタに対し、開き方向における回転トルクよりも大きな回転トルクを付与するワンウェイダンパーを備えることを特徴とする。
【発明の効果】
【００１５】
本発明の磁気カード読取装置によれば、磁気カードにおける擦り傷を防止することができる。
【図面の簡単な説明】
【００１６】
【図１】（ａ）は本発明の実施形態に係る磁気カード読取装置の斜視図、（ｂ）は（ａ）のｂ−ｂ線断面図である。
【図２】実施形態に係るシャッタを裏側からみた斜視図である。
【図３】実施形態に係る装置本体を裏側からみた斜視図である。
【図４】図２においてシャッタ開き機構及び閉じ速度抑制機構を抜き出して示した分解斜視図である。
【図５】実施形態に係るシャッタ上部の構成を説明する図であり、（ａ）は平面図、（ｂ）は（ａ）のｂ矢視図、（ｃ）は（ａ）のｃ矢視図、（ｄ）は（ａ）のｄ矢視図である。
【図６】実施形態に係る磁気カード読取装置の作用説明図であり、（ａ）は待機状態の要部の平面図、（ｂ）は（ａ）のｂ矢視図、（ｃ）は（ａ）のｃ矢視図、（ｄ）は（ａ）のｄ矢視図である。
【図７】図６に示される要部の斜視図である。
【図８】実施形態に係る磁気カード読取装置の作用説明図であり、（ａ）は磁気カードを差し込んだときの要部の平面図、（ｂ）は（ａ）のｂ矢視図、（ｃ）は（ａ）のｃ矢視図、（ｄ）は（ａ）のｄ矢視図である。
【図９】図８に示される要部の斜視図である。
【図１０】実施形態に係る磁気カード読取装置の作用説明図であり、（ａ）は磁気カードをスライド操作しているときの要部の平面図、（ｂ）は（ａ）のｂ矢視図、（ｃ）は（ａ）のｃ矢視図、（ｄ）は（ａ）のｄ矢視図である。
【図１１】実施形態に係る磁気カード読取装置の作用説明図であり、（ａ）は磁気カードのスライド操作を完了した直後の要部の平面図、（ｂ）は（ａ）のｂ矢視図、（ｃ）は（ａ）のｃ矢視図、（ｄ）は（ａ）のｄ矢視図である。
【図１２】（ａ）は従来技術の構成を説明する図、（ｂ）は（ａ）の作用図である。
【発明を実施するための形態】
【００１７】
以下、添付図面を参照して、本発明を実施するための形態（以下、実施形態という）について詳細に説明する。なお、実施形態の説明の全体を通して同じ要素には同じ番号を付している。
【００１８】
（カード読取装置の全体構成）
まず、磁気カード読取装置の全体構成を図１〜図４に基づいて説明する。
図１（ａ）及び（ｂ）に示すように、磁気カード読取装置１は、筐体からなる装置本体２と、装置本体２の右側面及び正面右部を覆うシャッタ３と、磁気カードＣを磁気カード読取装置１の正面側から水平奥方向へ挿入するように設けられたカード差込口４とを備える。磁気カード読取装置１は、装置本体２の背面に設けられた各種の取付け具によって、自動販売機等の機器（図示省略）に取り付けることができる。
【００１９】
装置本体２には、その正面に開口して、上流端がカード差込口４に連通してかつ下流端が装置本体２の下面に達するよう、垂直方向（図１（ａ）における上下方向）に直線的に形成されたスリット状のカード通路２１が設けられており、このカード通路２１前面の略全長は、シャッタ３の正面側端部３１によって開閉自在に覆われている。そして、装置本体２の内部には、カード通路２１に沿って図示しない磁気ヘッドが配置されており、カード差込口４に挿入された磁気カードＣがカード通路２１に沿って下方にスライドすると、磁気カードＣの磁気ストライプ部が磁気ヘッドに摺接しながら、磁気ストライプ部に記録されているデータの読み取りが行なわれる。
【００２０】
図２に示すように、シャッタ３は、装置本体２の右側面及び正面右部を覆うよう、断面略Ｌ字形状に設けられており、装置本体２に設けられたシャッタ軸３２を介して回転自在に支承されている。シャッタ３には、シャッタ軸３２を中心として、引張コイルバネ３ｂ（本発明にいう「付勢手段」に相当）によってＸ方向（図１（ｂ）参照）に付勢力が常時作用している。引張コイルバネ３ｂは、一端が装置本体２側に掛け止められ、他端がシャッタ３側に掛け止められる。シャッタ３は、引張コイルバネ３ｂの付勢力により、待機時においては、その正面側端部３１がカード通路２１の手前側へと突出してカード通路２１の前面を覆う。
【００２１】
図１に戻る。図１（ａ）及び（ｂ）に示すように、さらに、装置本体２の正面上部であって、カード通路２１の左方向には、垂直方向長さが磁気カードＣの長手方向長さと同等である凹部２３が形成され、凹部２３とカード通路２１との間にはなだらかに湾曲したガイド面２４が形成されている。そして、待機時において、すなわち、シャッタ３が閉塞した状態においては、このガイド面２４とシャッタ３の正面側端部３１とは、互いに当接している。
【００２２】
この際の、カード通路２１の中心から、シャッタ３の正面側端部３１及びガイド面２４の当接位置までの左右方向距離Ｗは、１．５ｍｍ以上２．５ｍｍ以下であることが好ましい。これは、距離Ｗが１．５ｍｍより小さい値である場合、ガイド面２４とシャッタ３の正面側端部３１との当接部がカード通路２１と略同位置になり雨水又は埃が装置内部に直接侵入するおそれがある一方、距離Ｗが２．５ｍｍより大きい値である場合、磁気カードＣを差し込むだけでは、引張コイルバネ３ｂの付勢力に抗してシャッタ３をＹ方向（図１（ｂ）参照）に拡開することができず、利用者がもう一方の手でシャッタ３を拡開する操作が必要となるからである。
【００２３】
ここで、シャッタ３の正面側端部３１の上部には、ガイドリブ３３が複数設けられて、磁気カードＣをガイド面２４及びシャッタ３の当接部へと誘導するようにしている。なお、装置本体２の凹部２３に、磁気カードＣの差込位置を誘導する発光部２５を設けて、発光又は点滅等によって、利用者に磁気カードＣの挿入を促すようにしてもよい。
【００２４】
そして、装置本体２のガイド面２４とシャッタ３の正面側端部３１によって、カード差込口４が形成されており、ガイド面２４又はシャッタ３の正面側端部３１に押し当てられた磁気カードＣを、ガイド面２４の曲面又はガイドリブ３３によって、カード差込口４に誘導するようにしている。
【００２５】
なお、磁気カード読取装置１の下部においては、装置本体２の正面とシャッタ３の正面側端部３１の正面とは、略同一面になるように形成されている。これによって、カード通路２１の下流側において、直接磁気カードＣを差し込んでも、シャッタ３は開かないようにしている。また、カード通路２１の下流端において、上方に向けて磁気カードＣを差し込んでも、同様に、シャッタ３は開かないようにしている。
【００２６】
図３に示すように、磁気カード読取装置１は、シャッタ開き機構５４及び閉じ速度抑制機構５１をさらに備える。図４に示すように、これらシャッタ開き機構５４及び閉じ速度抑制機構５１は、磁気カード読取装置１の上部に組み込まれる。
【００２７】
（シャッタ開き機構及び閉じ速度抑制機構の構成）
次に、シャッタ開き機構５４及び閉じ速度抑制機構５１の構成を図５に基づいて説明する。
【００２８】
図５（ａ）〜（ｄ）に示すように、シャッタ開き機構５４は、回転体５４ａと、この回転体５４ａを付勢するねじりコイルバネ５５とを備える。回転体５４ａは、レバー部５４ｂ、支軸５４ｃ、カム部５４ｄ及びテーパ面５４ｅを一体に備える。
【００２９】
支軸５４ｃは、左右方向に延びるように配置され、装置本体２に支持される。支軸５４ｃの外周には、ねじりコイルバネ５５が設けられる。レバー部５４ｂは、支軸５４ｃの一端部に設けられ、手前側に頂部を向けた三角形状に形成される。レバー部５４ｂは、その頂部が磁気カードＣの先端部Ｃ１で押圧されることで回転する。カム部５４ｄは、支軸５４ｃの他端部に設けられ、下方に行くにしたがって内向きに傾斜するテーパ面５４ｅを有する。カム部５４ｄは、レバー部５４ｂに連動して回転するとともに、シャッタ３に設けられた突起３ａにそのテーパ面５４ｅを当接させ、シャッタ３を押し広げるように回転する。ねじりコイルバネ５５は、レバー部５４ｂが手前側に回転する向き、すなわち図５（ｃ）に示されるＰ方向に回転体５４ａを付勢する。
【００３０】
このように構成されるシャッタ開き機構５４は、磁気カードＣがカード差込口４に差し込まれたとき、磁気カードＣの先端部Ｃ１でレバー部５４ｂが押圧されることで、引張コイルバネ３ｂの付勢力に抗してシャッタ３を開き方向に回転させ、磁気カードＣとシャッタ３を離間する。
【００３１】
一方、閉じ速度抑制機構５１は、第１のギア５１ａ、第２のギア５１ｂ、第３のギア５２及びワンウェイダンパー５３によって構成される。
【００３２】
第１のギア５１ａは、シャッタ軸３２の上端に設けられる。第２のギア５１ｂは、第１のギア５１ａ及び第３のギア５２に噛み合い、第１のギア５１ａから第３のギア５２に力を伝達する。第３のギア５２の下部には、ダンパとワンウェイクラッチを合成したワンウェイダンパー５３が接続される。このワンウェイダンパー５３は、閉じ方向に回転するシャッタ３に対し、開き方向における回転トルクよりも大きな回転トルクを付与する。なお、この例では、ワンウェイダンパー５３を用いたが、ワンウェイダンパー５３の代わりに油圧とバネの組み合わせなどによりシャッタ３の回転トルクを制御してもよい。
【００３３】
このように構成される閉じ速度抑制機構５１は、磁気カードＣがカード差込口４からカード通路２１に沿ってスライド操作され、シャッタ３が磁気カードＣの先端部Ｃ１による押圧から解放されたとき、引張コイルバネ３ｂの付勢力によって閉じるシャッタ３の回転速度を抑制しシャッタ３が閉じる速度を遅くする。これにより磁気ヘッドで読み取り可能な一般的な速さでスライド操作（スワイプ）される磁気カードであれば、少なくとも磁気カードＣのスライド操作が完了するまでの間、磁気カードＣとシャッタ３が接触しない。
【００３４】
（磁気カード読取装置の動作）
次に、磁気カード読取装置１における、磁気カード読取動作を図６〜図１１に基づいて詳細に説明する。
【００３５】
図６（ａ）〜（ｄ）及び図７に示すように、待機状態において、シャッタ３は引張コイルバネ３ｂの付勢力によりカード通路２１前面を閉塞した状態である。利用者は、凹部２３、ガイド面２４、発光部２５及びガイドリブ３３（図１（ａ）参照）等により誘導されて、カード差込口４に磁気カードＣを押し付ける。そして、磁気カードＣを水平奥方向へと押し込むと（図６（ｃ）の矢印（１））、磁気カードＣは、ガイドリブ３３等によって誘導されて、シャッタ３を開き方向に若干拡開させるようにして、カード差込口４内に挿入される。なお、待機状態において、シャッタ３は装置本体２に対して隙間なく閉じた状態にある（図６（ａ）に示される距離Ｙ５＝０）。
【００３６】
次に、図８（ａ）〜（ｄ）及び図９に示すように、さらに、磁気カードＣをより水平奥方向へと押し込むと（図８（ｃ）の矢印（２））、レバー部５４ｂが磁気カードＣの先端部Ｃ１で押圧されて奥方向に回転し（図８（ｂ）の矢印（３））、これに連動してカム部５４ｄが下方に回転し（図８（ｂ）の矢印（４））、テーパ面５４ｅから突起３ａに伝わる荷重により、シャッタ３を磁気カードＣから離間するように引張コイルバネ３ｂの付勢力に抗して押し広げる（図８（ａ）の矢印（５））。このように磁気カードＣをより水平奥方向へと押し込む過程では、磁気カードＣとシャッタ３とが離間するため、磁気カードＣは、シャッタ３との接触が防止された状態でカード差込口４内に挿入され、カード通路２１に差し込まれる。このとき、シャッタ３は、ワンウェイダンパー５３においてクラッチが掛っていないため、小さなトルクで回転可能である。また、カード差込口４より下方に連通するカード通路２１が開放されるため、利用者に磁気カードＣを垂直下方にスライドさせるように認識させることとなる。なお、磁気カードＣがカード通路２１の最も奥まで差し込まれた状態において、シャッタ３と磁気カードＣとの間には、平面視で距離Ｙ２（図８（ａ）参照）の隙間が生じている。距離Ｙ２としては、例えば、５ｍｍ以上８ｍｍ以下が好適である。
【００３７】
次に、図１０（ａ）〜（ｄ）に示すように、開放されたカード通路２１に誘導されて、磁気カードＣを垂直下方にスライドさせていくと（図１０（ｃ）の矢印（６））、レバー部５４ｂが磁気カードＣの先端部Ｃ１から解放されて手前側に回転し、回転体５４ａが待機状態に戻り（図１０（ｃ）の矢印（７））、カム部５４ｄも上方に回転する（図１０（ｂ）の矢印（８））。これにより、突起３ａがカム部５４ｄの荷重から解放されるため、シャッタ３は、引張コイルバネ３ｂの付勢力によって閉じ方向に回転可能となるが、ワンウェイダンパー５３においてクラッチが掛かりダンパによる大きな回転トルクが生ずるため、回転速度が抑制された状態でゆっくりと閉じ方向に回転する（図１０（ａ）の矢印（９））。このように磁気カードＣを垂直下方にスライドさせていく過程では、シャッタ３が、その回転速度が抑制された状態でゆっくりと閉じるため、磁気カードＣは、シャッタ３との接触が防止された状態で垂直下方にスライドすることが可能となる。なお、磁気カードＣがカード通路２１を垂直下方にスライドする状態において、シャッタ３と磁気カードＣとの間には、平面視で距離Ｙ３（図１０（ａ）参照）の隙間が生じている。
【００３８】
さらに、図１１（ａ）〜（ｄ）に示すように、磁気カードＣをカード通路２１において垂直下方にスライドし、カード通路２１の下流端から抜き取る（図１１（ｃ）の矢印（１０））。この際、カード通路２１内に設けられた磁気ヘッドに、磁気カードＣの磁気ストライプ部が摺接して、磁気ストライプ部に記録されているデータの読み取りが行なわれる。そして、磁気カードＣをカード通路２１の下流端から抜き取った直後は、シャッタ３は、閉じ方向の回転動作を継続しており（図１１（ａ）の矢印（１１））、未だ完全に閉じていない。すなわち、シャッタ３と磁気カードＣとの間には、平面視で距離Ｙ４（図１１（ａ）参照）の隙間が生じている。そして、磁気カードＣをカード通路２１の下流端から抜き取った後、シャッタ３がカード通路２１の前面を覆うように完全に閉じ、待機状態に戻る（図６参照）。
【００３９】
以上に述べた実施形態の効果について述べる。
本実施形態によれば、磁気カード読取装置１を自動販売機等に設置する場合であっても、待機状態においては、シャッタ３がカード通路２１の前面を閉塞しているので、正面から吹き付ける雨水や塵埃の装置内部への侵入を防止することができる。
【００４０】
そして、シャッタ開き機構５４により、磁気カードＣがカード差込口４に差し込まれたとき、シャッタ３を開き方向に多めに回転させて磁気カードＣとシャッタ３とを離間させる。さらに、閉じ速度抑制機構５１により、磁気カードＣのスライド操作が完了するまでの間は、磁気カードＣとシャッタ３との距離を徐々に小さくしながら（Ｙ２＞Ｙ３＞Ｙ４＞Ｙ５＝０）、隙間を維持することにより、シャッタ３をゆっくり閉じて磁気カードＣとシャッタ３との接触を確実に防止する。これにより、磁気カードＣにおける擦り傷を防止できる。その結果、磁気カードＣの側面に施されるロゴや広告宣伝等の各種情報が読み取ることできなくなる不具合を防止でき、磁気カードＣの外観品質が損なわれることを防ぐことができる。
【００４１】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【産業上の利用可能性】
【００４２】
本発明は磁気ストライプを有する磁気カードの読取装置、例えば、クレジットカード、キャッシュカード及びポイントカード等の磁気カード読取装置に利用でき、屋外設置型の無人機器への取付けにも対応可能である。
【符号の説明】
【００４３】
１      磁気カード読取装置
２      装置本体
３      シャッタ
３ｂ    引張コイルばね（付勢手段）
４      カード差込口
２１    カード通路
５１    閉じ速度抑制機構
５３    ワンウェイダンパー
５４    シャッタ開き機構
５４ａ  回転体
５４ｂ  レバー部
５４ｄ  カム部
Ｃ      磁気カード
Ｃ１    先端部
【図１】
2016095623.tif 000003
【図２】
2016095623.tif 000004
【図３】
2016095623.tif 000005
【図４】
2016095623.tif 000006
【図５】
2016095623.tif 000007
【図６】
2016095623.tif 000008
【図７】
2016095623.tif 000009
【図８】
2016095623.tif 000010
【図９】
2016095623.tif 000011
【図１０】
2016095623.tif 000012
【図１１】
2016095623.tif 000013
【図１２】
2016095623.tif 000014